(57)【要約】【課題】ユーザ側では衛星放送の番組視聴に必要な受信設備を容易に導入でき、放送事業者側では放送番組の受信契約数を増加できること。【解決手段】ユーザが放送衛星を用いた放送事業者の放送番組を視聴したい場合、マーケティング会社は、衛星放送の受信設備であるチューナーとアンテナ等を初期費用不要でユーザに貸与する。また、放送事業者の特定の放送番組または複数の番組をまとめた指定パックをユーザが受信契約した場合（ステップＳ１：Ｙｅｓ）、マーケティング会社は毎月徴収する会費の金額を割安に提供する（ステップＳ３）。マーケティング会社は、ユーザから徴収する会費を受信設備の購入代金の一部に充当し、会費だけでは足りない不足の金額相当は、放送事業者からのマーケティング委託料を受けて補充する（ステップＳ４）。【選択図】　　　図３
2004094599.tif 000002
【特許請求の範囲】
【請求項１】
特定の放送事業者が制作した放送番組をユーザが視聴契約した際には、前記放送番組を視聴するために必要な受信設備費用の一部をユーザに代わり前記放送事業者および当該放送サービスの普及により収益をあげる関連当事者が負担することを特徴とするメディア視聴方法。
【請求項２】
有料の放送番組を提供・放送する放送事業者と、前記放送事業者から委託を受けて放送の送出等を行うプラットフォームと、前記放送事業者および前記プラットフォームの放送番組に対するユーザの契約獲得業務を行うマーケティング会社を有する形態におけるメディア視聴方法であって、
前記ユーザは、契約後毎月前記マーケティング会社に対し所定金額の会費を支払い、
前記マーケティング会社は、前記放送事業者が制作した放送番組を前記ユーザが視聴契約した際には、前記放送番組を視聴するために必要な受信設備費用の一部のうち、前記会費分を引いた金額を前記放送事業者から入るマーケティング委託料により補充することを特徴とするメディア視聴方法。
【請求項３】
前記マーケティング会社は、前記放送事業者が制作した有料の特定の放送番組、またはこれらの番組を組み合わせた指定パックを販売し、
前記ユーザが前記の特定の放送番組または指定パックを視聴契約したときには、前記放送事業者からのマーケティング委託料の収納を受けることにより前記会費を割安に提供し、
前記ユーザが前記特定の放送番組または指定パックを視聴契約しないときには、前記放送事業者からのマーケティング委託料の収納を受けず、前記受信設備費用相当の金額を前記会費として徴収することを特徴とする請求項２に記載のメディア視聴方法。
【発明の詳細な説明】
【０００１】
【発明の属する技術分野】
この発明は、衛星放送やケーブルテレビなどのメディアを視聴するための方法であり、より詳しくは、視聴者（ユーザ）が放送を受信する際に必要な受信設備を容易に導入できるメディア視聴方法に関する。
【０００２】
【従来の技術】
近年、ＢＳ，ＣＳ等の衛星を用いることによりまたは、ケーブルなどの有線によりメディアの放送チャンネルが増加してきており、ユーザの要望に沿った番組放送が可能となっている。特に、最新の映画や特別に編成された番組等を有料で視聴するサービスが好評であり、このサービスを提供する放送事業者が多数設立されてきている。
【０００３】
【発明が解決しようとする課題】
しかしながら、このような多数の放送事業者が提供する有料番組を視聴するためには、自身で受信設備、すなわち衛星放送受信用のチューナー、衛星受信用のアンテナを購入し、かつ、工事業者に受信設備の設置を依頼する必要があり、初期費用がかかる問題があった。普及促進のためには、番組内容の充実のみならず、ユーザが上記受信設備を容易かつ安価に導入できるための環境整備が課題となっている。
【０００４】
また、プラットフォームおよび放送事業者は、放送事業を継続、発展させるためには、ユーザの契約数の増加とユーザからの受信料の継続が必要であり、ユーザによる途中解約をできるだけ防ぐことができユーザに魅力的で利益をもたらす何らかの対策が必要となっている。
【０００５】
この発明は、上述した従来技術による問題点を解消するため、ユーザ側では衛星放送の番組視聴に必要な受信設備を容易に導入でき、放送事業者側では放送番組の受信契約数を増加できるメディア視聴方法を提供することを目的とする。
【０００６】
【課題を解決するための手段】
上述した課題を解決し、目的を達成するため、この発明にかかるメディア視聴方法は、放送番組を制作する放送事業者と、前記放送事業者から委託を受けて放送の送出等を行うプラットフォームと、前記放送事業者の放送番組に対するユーザの契約獲得業務を行うマーケティング会社を有している。ユーザは、契約後、毎月マーケティング会社に対し所定金額の会費を支払う。マーケティング会社は、放送事業者が制作した放送番組を含む指定パックをユーザが視聴契約した際には、放送番組を視聴するために必要な受信設備費用から、前記会費分を引いた残りの金額を放送事業者から入るマーケティング委託料により補充する。
【０００７】
具体的には、マーケティング会社は、放送事業者が制作した有料の特定の放送番組またはこれら放送番組を組み合わせた指定パックを販売する。ユーザが特定の放送番組または指定パックを視聴契約したときには、放送事業者からのマーケティング委託料の収納を受けることにより会費を割安に提供する。一方、ユーザが特定の放送番組または指定パックを視聴契約しないときには、放送事業者からのマーケティング委託料の収納を受けず、受信設備費用相当の金額を会費として徴収する。
【０００８】
この発明によれば、ユーザは、放送事業者が放送衛星を用いて放送する有料の放送番組を視聴するに必要な受信設備の導入を容易に行えるようになる。ユーザは、指定パックを選択して契約した際には、この受信設備に必要な費用負担を大幅に軽減でき導入を容易に行えるようになる。
【０００９】
【発明の実施の形態】
以下に添付図面を参照して、この発明にかかるメディア視聴方法の好適な実施の形態を詳細に説明する。図１は、本発明のメディア視聴方法による契約時の料金の流れを示す概要図である。
【００１０】
放送事業者２は、自己の番組をプラットフォーム１を通じて衛星に送出し、ユーザ３は設置した受信設備を介して放送番組を視聴する。
【００１１】
有料の放送番組は、予め定めた契約内容によって受信許可された受信設備を有するユーザ３のみが視聴可能なようスクランブル処理等を用いて放送されている。ユーザ３の自宅等に設置される受信設備は、番組を視聴するためのアンテナ，アンテナ取付部材，ケーブル，チューナー，リモコン等からなる。
【００１２】
プラットフォーム１および放送事業者２と、ユーザ（会員）３との間にはマーケティング会社４が設けられる。マーケティング会社４は、プラットフォーム１および放送事業者２とユーザ３との間の契約処理（および契約後処理、会員処理等）を受託する。この実施形態では、ユーザ３は、マーケティング会社４の会員となり、有料チャンネルのうち所望するチャンネル（放送事業者２が制作したチャンネル）を選択して契約し、この有料チャンネルを上記受信設備を用いて視聴するものとする。
【００１３】
マーケティング会社４は、メーカー６からチューナーおよびアンテナを購入して、これらの代金を支払う。マーケティング会社４は、この代金支払いをリース会社７のリース制度を利用して行うこともできる。また、マーケティング会社４は、ユーザ３に対する上記チューナーおよびアンテナの設置工事を行う。
【００１４】
図示されている各者間の代金等の流れを説明する。
１．契約時（図１参照）
ユーザ３は契約時、マーケティング会社４の会員となり、チューナー、アンテナの無償貸与を受ける。また、アンテナを設置工事してもらい、この際の工事代金の支払いは不要である。なお、ユーザ３は、マーケティング会社４の会員期間中、上記受信設備（チューナー，アンテナ等）の貸与を受けるものであり、会員退会時にチューナーとアンテナを返却、または所定規則に基づいて買い取る。
【００１５】
プラットフォーム１は、ユーザ３の契約毎に発生する所定金額の契約インセンティブをマーケティング会社４に支払う。マーケティング会社４は、チューナーとアンテナの代金、および工事代金をユーザ３に代わって負担する。チューナーとアンテナの代金をメーカー６に支払う。
【００１６】
また、マーケティング会社４がリース制度を利用する場合、マーケティング会社４はチューナーおよびアンテナの売却代金をリース会社７から一括して受け取る。
【００１７】
２．契約後（毎月）
図２は、本発明のメディア視聴方法による毎月の料金の流れを示す概要図である。ユーザ３は、マーケティング会社４の会員である期間中、毎月毎に所定金額の会費をマーケティング会社４に支払い、マーケティング会社４から放送番組表等が記載された会報誌を受け取る。
【００１８】
プラットフォーム１は、ユーザ３の契約が継続している期間中、所定金額の継続インセンティブをマーケティング会社４に支払う。放送事業者２は、自社の番組がユーザ３によって契約された場合にはユーザ３毎に所定金額のマーケティング委託料等をマーケティング会社４に支払う。
【００１９】
また、マーケティング会社４がリース制度を利用する場合、マーケティング会社４は予め定めたリース期間中、毎月チューナーおよびアンテナのリース料をリース会社７に支払う。
【００２０】
チューナー、アンテナの代金と工事代金の合計は、ユーザ３から領収する会費と、放送事業者２から入るマーケティング委託料によって収支される。
【００２１】
プラットフォーム１は多数のユーザ３を獲得しているが、特定の放送事業者２にとってはユーザ３の単純数よりも自社の番組に対する視聴契約が重要となる。これに対応してマーケティング会社４では、特定の放送事業者２からマーケティング業務を受託し、この放送事業者２の放送番組または放送番組を組み合わせた指定パックを推奨販売し、ユーザ３がこの放送番組または指定パックを契約したときには会費を割安にする仕組みを取っている（詳細は後述する）。その結果、放送事業者２の番組の契約促進と解約防止を図れるようになる。マーケティング会社４は、この仕組みに基づき放送事業者２からマーケティング委託料等の収入を得ることができるようになっている。
【００２２】
マーケティング会社４が提供する指定パックの一例を説明すると、放送事業者２が制作した２３のチャンネル（映画、スポーツ、音楽、エンターテイメント、ニュース・ドキュメンタリ、趣味・実用）
【００２３】
以上の合計２３チャンネルが例えば毎月３，９８０円で視聴できる。これ以外複数の指定パックがあるが、いずれも複数の放送事業者２の番組で構成されている。
【００２４】
図３は、チューナーとアンテナの代金の収支の流れを示すフローチャートである。チューナーとアンテナの合計代金はＸＸＸＸＸ円とする。図には、マーケティング会社４における代金収支が示されている。前述したが、チューナーとアンテナはユーザ３に対し貸与するものであり、４年間の契約継続により償却されるものであるとする。これにより、会員は上記の会費を最低４年間継続して支払うことが前提となる。
【００２５】
まず、ユーザ３の契約がマーケティング会社４推奨の指定パックであるか否かを判断する（ステップＳ１）。指定パック以外の契約のときには（ステップＳ１：Ｎｏ）、毎月の会費がＹＹＹＹ円となる（ステップＳ２）。この会費ＹＹＹＹ円は、償却までの４年間の通算が上記合計代金ＸＸＸＸＸ円相当となる。
【００２６】
一方、ユーザ３が指定パックを契約したときには（ステップＳ１：Ｙｅｓ）、毎月の会費がＹＹＹ円となる（ステップＳ３）。この会費ＹＹＹ円は、償却までの４年間を通算しても上記合計代金ＸＸＸＸＸ円を充足しない。しかしながら、指定パックの契約であり放送事業者２の番組が契約されているため、放送事業者２からは所定金額のマーケティング委託料（図２参照）がマーケティング会社４に入る（ステップＳ４）。このマーケティング委託料はチューナーとアンテナの合計金額ＸＸＸＸＸ円から毎月の会費ＹＹＹ円（４年間合計時のＹＹＹＹ円）を差し引いた不足金額を充足する。
【００２７】
これにより、チューナーとアンテナの代金をユーザ３の会費と、放送事業者２のマーケティング委託料によって支払うことができる。なお、チューナーとアンテナの代金をリース会社７のリース制度を利用して支払う場合、毎月単位で上記会費とマーケティング委託料をリース料としてリース会社７に支払うことになる（ステップＳ５）。
【００２８】
上記システムにより、ユーザ３は、初期費用（チューナーおよびアンテナ）を支払うことなく経済的負担を軽くして、放送事業者２の番組を視聴できる受信環境（アンテナ工事代金を含む前記受信設備の設置および会報誌の送付）を容易に導入できるようになる。
【００２９】
一方、放送事業者２は従来に比してより自社の番組を視聴契約できるようになる。なお、プラットフォーム１は上記システムによってユーザ３による指定パックの選択の有無に関わらず、新規なユーザ３の契約数増加が見込める。
【００３０】
【発明の効果】
以上説明したように、この発明によれば、ユーザは契約後に会費を支払うだけで放送番組を視聴するために必要な受信設備を容易に導入できるため、初期費用を負担することなく手軽に放送番組の視聴を開始することができるようになる。同時に、この指定パックの視聴契約時、ユーザはマーケティング会社に支払う会費の金額を格安にできるようになる。一方、放送事業者およびプラットフォームは、自社に対する契約数の増加および長期の継続化が期待でき、提供するサービス向上と経営安定化が図れるという効果を奏する。
【図面の簡単な説明】
【図１】本発明のメディア視聴方法による契約時の料金の流れを示す概要図である。
【図２】本発明のメディア視聴方法による毎月の料金の流れを示す概要図である。
【図３】チューナーとアンテナの代金の収支の流れを示すフローチャートである。
【符号の説明】
１　プラットフォーム
２　放送事業者
３　ユーザ（会員）
４　マーケティング会社
６　メーカー
７　リース会社
【図１】
2004094599.tif 000003
【図２】
2004094599.tif 000004
【図３】
2004094599.tif 000005